(57)【要約】      （修正有）【課題】ＭＰ３プレィヤーをコンピュータに接続しただけで、音楽ＣＤ中の楽曲をＭＰ３プレィヤーにダビングする方法を提供する。【解決手段】ＭＰ３プレィヤーが運行状態にあるコンピュータに接続されると、コンピュータとＭＰ３プレィヤー間で装置タイプの質問情報送信受信が行われる。ＭＰ３プレィヤーが自動運行機能を有する装置である事が判明した場合、コンピュータはＭＰ３プレィヤーの中の自動運行ファイルをサーチして音楽データのダビングプログラムを自動的に起動する。ダビングプログラムのサーチモジュールは音楽ＣＤをサーチし、音楽ＣＤが存在する場合ダビングプログラムのピックアップモジュールが音楽ＣＤから楽曲のトラックデータをピックアップする。ピックアップされたトラックデータは変換モジュールでＭＰ３フォームに変換され、ＭＰ３プレィヤーに記憶される。【選択図】図２
2007102995.tif 000002
【特許請求の範囲】
【請求項１】
音楽ＣＤ中の楽曲をＭＰ３プレィヤーにダビングする方法であって、
上記ＭＰ３プレィヤーが、標準データインタフェースを通じて、運行状態にあるコンピュータに接続された後、上記コンピュータとＭＰ３プレィヤーが、上記標準データインタフェースに基づいて通信し、且つ以下のステップを実行することを特徴とする、音楽ＣＤ中の楽曲をＭＰ３プレィヤーにダビングする方法。
ステップ１：上記コンピュータは、上記ＭＰ３プレィヤーに、装置タイプの質問情報を送信し、
ステップ２：上記ＭＰ３プレィヤーは、上記装置タイプの質問情報を受け取った後、上記コンピュータに装置タイプの情報を返送し、
ステップ３：上記コンピュータは、上記装置タイプの情報が、自動運行機能を有する装置であることを示す情報であるか否かを判定し、当該情報が自動運行機能を有する装置であることを示す情報である場合には、下記ステップ５を実行し、当該情報が自動運行機能を有しない装置であることを示す情報である場合には、下記ステップ４を実行し、
ステップ４：上記コンピュータは、ＭＰ３プレィヤーを、自動運行機能を有しない装置に設定し、動作を終了し、
ステップ５：上記コンピュータは、ＭＰ３プレィヤーの装置属性を、自動運行機能を有する装置に設定し、
ステップ６：上記コンピュータは、ＭＰ３プレィヤーの中で、自動運行ファイルが存在するか否かをサーチし、当該自動運行ファイルが存在する場合には、下記ステップ７を実行し、当該自動運行ファイルが存在しない場合には、動作を終了し、
ステップ７：上記コンピュータは、ファイルのスクリプトの自動運行を実行して、音楽データのダビングプログラムの運行を自動的に起動し、
ステップ8：上記音楽データのダビングプログラムのサーチモジュールは、上記コンピュータのＣＤ−ＲＯＭ中に音楽ＣＤが存在するか否かをサーチし、音楽ＣＤが存在する時には、下記ステップ9を実行し、音楽ＣＤが存在しない場合には、動作を終了し、
ステップ9：上記音楽データのダビングプログラムのピックアップモジュールは、上記音楽ＣＤから楽曲のトラックデータをピックアップし、
ステップ１０：上記音楽データのダビングプログラムの変換モジュールは、ピックアップされたトラックデータをＭＰ３フォームの音楽ファイルに変換し、
ステップ１１：上記音楽データのダビングプログラムの記憶モジュールは、上記ＭＰ３フォームの音楽ファイルをＭＰ３プレィヤーに記憶して、動作を終了する。
【請求項２】
上記ＭＰ３プレィヤーが、当該装置タイプの質問情報を受け取った後、上記ＭＰ３プレィヤーの起動データ区域をＣＤ−ＲＯＭにマッピングし、且つ上記コンピュータに、装置がＣＤ−ＲＯＭであることを示す情報を返送することにより上記ステップ２を実施することを特徴とする請求項１に記載の方法。
【請求項３】
上記ＭＰ３プレィヤーが、標準データインタフェースを通じて、運行状態にあるコンピュータに接続された後、上記ＭＰ３プレィヤーのある操作キーを音楽データのダビングプログラムの自動起動キーに設定し、上記ＭＰ３プレィヤーが、当該装置タイプの質問情報を受け取った後、上記操作キーが音楽データのダビングプログラムの自動起動状態にあるか否かを検出し、起動状態にある場合には、上記コンピュータに、装置がＣＤ−ＲＯＭである装置タイプの情報を返送し、起動状態にない場合には、上記コンピュータに、装置がフラッシュメモリに基づいた記憶装置である装置タイプの情報を返送することにより上記ステップ２を実施することを特徴とする請求項1に記載の方法。
【請求項４】
上記操作キーを設定するステップが、ＭＰ３プレィヤーのある操作キーを音楽データのダビングプログラムの自動起動キーとして組み合わせて使用するように設定することを特徴とする請求項３に記載の方法。
【請求項５】
上記ＭＰ３プレィヤーのあるメモリに、制御データが保存してあり、上記ＭＰ３プレィヤーが上記装置タイプの質問情報を受け取った後、上記制御データが、上記ＭＰ３プレィヤーが音楽データのダビングプログラムの起動状態にあることを示しているか否かを検出し、起動状態にあることを示している場合には、上記コンピュータに、装置がＣＤ−ＲＯＭである装置タイプの情報を返送し、起動状態にあることを示していない場合には、上記コンピュータに、装置がフラッシュメモリに基づいた記憶装置である装置タイプの情報を返送することにより上記ステップ２を実施することを特徴とする請求項1に記載の方法。
【請求項６】
上記ステップ８において、音楽ＣＤが存在する場合には、ダビングしようとする楽曲を選択するように、ユーザーに提示して、上記音楽データのダビングプログラムのピックアップモジュールが、上記音楽ＣＤから、ユーザーの選択した楽曲のトラックデータをピックアップすることにより上記ステップ９を実施することを特徴とする請求項１に記載の方法。
【請求項７】
上記ステップ９において、前記ピックアップモジュールが、楽曲のトラックデータを順番にピックアップし、一つの楽曲のトラックデータをピックアップする毎に、当該データを変換モジュールに出力し、その後、全ての楽曲のトラックデータを全部ピックアップするまでに、次の一つの楽曲のトラックデータをピックアップし、上記ステップ１０において、前記変換モジュールが、ピックアップされたトラックデータをＭＰ３フォームの音楽ファイルに変換し、一つの楽曲を変換する毎に、変換された後のＭＰ３フォームの音楽ファイルを記憶モジュールに出力し、その後、全ての楽曲のトラックデータを全部変換するまでに、次の一つの楽曲のトラックデータを変換し、上記ステップ１１において、上記記憶モジュールが、ＭＰ３フォームの音楽ファイルを順番に記憶することを特徴とする請求項１に記載の方法。
【請求項８】
上記記憶モジュールが、第一のサブ記憶モジュールと第二のサブ記憶モジュールを含み、上記記憶モジュールがＭＰ３フォームの音楽ファイルを順番に記憶するステップが、上記第一のサブ記憶モジュールが、コンピュータ内部で自動的にフォルダを作成して、全ての楽曲のＭＰ３フォームの音楽ファイルを全部記憶するまでに、楽曲毎のＭＰ３フォームの音楽ファイルを、コンピュータ内部中の当該フォルダ中に順番に記憶し、第一のサブ記憶モジュールに、第一のＭＰ３フォームの音楽ファイルを記憶した後、上記第二のサブ記憶モジュールが、当該フォルダ中に記憶されている全てのＭＰ３フォームの音楽ファイルを全部コピーするまでに、コンピュータ内部の当該フォルダ中に記憶されているＭＰ３フォームの音楽ファイルを、ＭＰ３プレィヤーに順番にコピーし始めるものであることを特徴とする請求項８に記載の方法。
【請求項９】
上記第一のサブ記憶モジュールがコンピュータ内部でフォルダを自動的に作成するステップが、上記第一のサブ記憶モジュールが、音楽ＣＤのシリアル番号に従って、コンピュータ内部にフォルダを設定するものであることを特徴とする請求項８に記載の方法。
【請求項１０】
上記楽曲毎のＭＰ３フォームファイルをコンピュータ内部の当該フォルダに順番に記憶するステップが、楽曲毎のＭＰ３フォームファイルを、曲名に従って、コンピュータ内部の当該フォルダに記憶するものであることを特徴とする請求項８に記載の方法。
【請求項１１】
上記第二のサブ記憶モジュールが、コンピュータ内部の当該フォルダ中に記憶されているＭＰ３フォームファイルをＭＰ３プレィヤーに順番にコピーし始めるステップが、上記第二のサブ記憶モジュールが、ＭＰ３プレィヤーに、音楽ＣＤのシリアル番号で命名されたフォルダを作成し、上記コンピュータ内部の当該フォルダ中に記憶されているＭＰ３フォームファイルを、同じ名称で、上記ＭＰ３プレィヤーの音楽ＣＤのシリアル番号で命名されたフォルダに記憶するものであることを特徴とする請求項8に記載の方法。
【発明の詳細な説明】
【技術分野】
【０００１】
本発明は、音楽ＣＤ中の楽曲をＭＰ３プレィヤーにダビングする方法に関し、特に、ＭＰ３プレィヤーをコンピュータに接続した時、自動運行機能により、コンピュータのＣＤ−ＲＯＭ内部に入った音楽ＣＤ中の楽曲を、ＭＰ３フォームに変換して、ＭＰ３プレィヤーに記憶する方法に関する。
【背景技術】
【０００２】
ＭＰ３は、ＭＰＥＧ  Ａｕｄｉｏ  Ｌａｙｅｒ  ３の略称である。ＭＰＥＧ圧縮フォームは、動画のための標準規格化グループ（Ｍｏｔｉｏｎ  Ｐｉｃｔｕｒｅ  Ｅｘｐｅｒｔｓ  Ｇｒｏｕｐ）により制定された映像と音声に関する標準であり、その中で、ＭＰ３は、音声信号を圧縮するために設計された新しいオーディオ信号の圧縮フォーム標準である。ＭＰ３は、国際標準であるＭＰＥＧ中のレイヤー３のオーディオ圧縮モードを採用して、音声信号を圧縮したあるフォームであり、中国では、「コンピュータインタネット音楽」とも呼ばれている。音質は、ＣＤに近いが、ファイルサイズは、ＣＤのほんの１／１２程度である。
【０００３】
ＭＰ３プレィヤーは、ＭＰ３フォームファイルをプレイすることができるプレイ器具であり、それには、体積が小さくて、電気消費も少なく、しかも、音質良好で且つ様々な外形を持ったものがある。従って、ＭＰ３プレーヤーは、多くの人たちに使用されてきた。その反面、ＭＰ３プレィヤーには、音楽のダウンロードが面倒であるという大きな欠点がある。現在、一般的に採用されているダウンロード方法は、音楽ダビングソフトウェアを手動操作して、現在の音楽データを、ＭＰ３フォーム或は他のＭＰ３プレィヤーに支持される音楽データフォームに変換して、ＭＰ３プレィヤーとコンピュータを接続して、一連の選択、コピー等の操作を行った後、変換された音楽データをＭＰ３プレィヤーに保存させるというものである。しかしながら、ＭＰ３プレーヤーが普及しているにも拘わらず、多くの音楽データ使用者は、コンピュータの操作に熟知していないことが多いので、そのような常用のダウンロード方法は、不便であった。
【０００４】
現在の「ラインイン録音」技術は、ある程度、上記問題を解決することができる。「ラインイン録音」技術は、ダビングラインの一端をＭＰ３プレーヤーに接続し、他端をＣＤ，ＭＤ，ＤＶＤ等の音楽プレーヤーのイヤホンジャックに接続して、ＣＤ，ＭＤ，ＤＶＤ等の音楽プレィヤーがプレイしている音楽をＭＰ３プレィヤーにダビングするものである。しかし、「ラインイン録音」のソース信号は、音楽プレィヤーから出力したアナログ信号で、音楽光ディスクに記録された原始音楽ファイルではないので、「ラインイン録音」技術を採用して得られたＭＰ３音楽ファイルの効果は、コンピュータで原始音楽ファイルを利用してダビングする効果より悪いという欠点がある。
【発明の開示】
【発明が解決しようとする課題】
【０００５】
従って、本発明は、上記課題を解決するために完成されたものであり、ユーザーが、ＭＰ３プレィヤーをコンピュータに接続しただけで、コンピュータの音楽ＣＤ中の楽曲を、ＭＰ３フォームに有効的に変換して、ＭＰ３プレィヤーに記憶することができる、音楽ＣＤ中の楽曲をＭＰ３プレィヤーにダビングする方法を提供することを目的とする。
【課題を解決するための手段】
【０００６】
上記目的を実現するために、本発明に係る方法において用いられる上記ＭＰ３プレィヤーは、標準データインタフェースと、コントローラーとメモリを含んでいる。標準データインタフェースは、ＭＰ３プレィヤーとコンピュータを接続するために用いられ、上記コントローラーは、上記メモリの読み書き及び上記コンピュータとのデータ交換をコントロールするために用いられ、上記メモリは起動データ区域と記憶データ区域を含んでいて、ＭＰ３プレィヤーが標準データインタフェースを通じて、運行状態にあるコンピュータと接続した後、上記標準データインタフェースに基づいて、上記コントローラーとコンピュータが通信し、以下のステップを実施する。
ステップ１：上記コンピュータは、上記ＭＰ３プレィヤーに、装置タイプの質問情報を送信する。
ステップ２：上記ＭＰ３プレィヤーは、上記装置タイプの質問情報を受け取った後、上記コンピュータに装置タイプの情報を返送する。
ステップ３：上記コンピュータは、上記装置タイプの情報が、自動運行機能を有する装置であることを示す情報であるか否かを判定し、当該情報が自動運行機能を有する装置であることを示す情報である場合には、下記ステップ５を実行し、当該情報が自動運行機能を有しない装置であることを示す情報である場合には、下記ステップ４を実行する。
ステップ４：上記コンピュータは、ＭＰ３プレィヤーを、自動運行機能を有しない装置に設定して、動作を終了する。
ステップ５：上記コンピュータは、ＭＰ３プレィヤーの装置属性を、自動運行機能を有する装置に設定する。
ステップ6：上記コンピュータは、ＭＰ３プレィヤーの中で、自動運行ファイルが存在するか否かをサーチし、当該自動運行ファイルが存在する場合には、下記ステップ７を実行し、当該自動運行ファイルが存在しない場合には、動作を終了する。
ステップ７：上記コンピュータは、ファイルのスクリプト自動運行を実行して、音楽データのダビングプログラムの運行を自動的に起動する。
ステップ8：上記音楽データのダビングプログラムのサーチモジュールは、上記コンピュータのＣＤ−ＲＯＭ中に音楽ＣＤが存在するか否かをサーチし、音楽ＣＤが存在する時には、下記ステップ9を実行し、音楽ＣＤが存在しない場合には、動作を終了する。
ステップ9：上記音楽データのダビングプログラムのピックアップモジュールは、上記音楽ＣＤから楽曲のトラックデータをピックアップする。
ステップ10：上記音楽データのダビングプログラムの変換モジュールは、ピックアップされたトラックデータをＭＰ３フォームの音楽ファイルに変換する。
ステップ１１：上記音楽データのダビングプログラムの記憶モジュールは、上記ＭＰ３フォームファイルをＭＰ３プレィヤーに記憶して、動作を終了する。
【０００７】
上記ステップ９中のピックアップモジュールは、楽曲のトラックデータを順番にピックアップし、一つの楽曲のトラックデータをピックアップする毎に、当該データを変換モジュールに出力し、その後、全ての楽曲のトラックデータを全部ピックアップするまでに、次の楽曲のトラックデータをピックアップする。上記ステップ１０の変換モジュールは、ピックアップされたトラックデータをＭＰ３フォームファイルに順番に変換し、一つの楽曲を変換する毎に、変換された後のＭＰ３フォームファイルを記憶モジュールに出力し、その後、全ての楽曲のトラックデータを全部変換するまでに、次の楽曲のトラックデータを変換する。上記ステップ１１の記憶モジュールは、ＭＰ３フォームファイルを順番に記憶する。
【０００８】
上記ステップ１１中の記憶モジュールは、第一のサブ記憶モジュールと第二のサブ記憶モジュールを含んでいる。上記記憶モジュールがＭＰ３フォームファイルを順番に記憶することは、具体的に、上記第一のサブ記憶モジュールが、コンピュータ内部で自動的にフォルダを作成して、全ての楽曲のＭＰ３フォームファイルを全部記憶するまでに、次の一つの楽曲のＭＰ３フォームファイルを、コンピュータ内部の当該フォルダに順番に記憶することにより実施される。第一のサブ記憶モジュールに、第一の楽曲のＭＰ３フォームファイルを記憶した後、上記第二のサブ記憶モジュールは、当該フォルダに記憶されている全てのＭＰ３フォームファイルを全部コピーするまでに、コンピュータ内部の当該フォルダに記憶されているＭＰ３フォームファイルを、ＭＰ３プレィヤーにコピーし始める。
【発明の効果】
【０００９】
従って、本発明に係る方法は、音楽ＣＤ中の楽曲をＭＰ３フォームに有効的に変換して、ＭＰ３プレィヤーに記憶することができる。音楽データの変換プログラムにおいて、音楽データのピックアップ、フォームの変換とファイルの記憶を同時に行って、素早い速度を保証することができ、変換された後のファイルを、音楽ＣＤのシリアル番号によって設定されたフォルダに記憶するので、音楽データのサーチと使用が便利になる。
【発明を実施するための最良の形態】
【００１０】
以下、本発明について、本発明の実施例を示した図面を参照しながら、説明する。
本発明は、ユーザーがＭＰ３プレィヤーをコンピュータに接続することで、音楽ＣＤ中の楽曲をＭＰ３フォームに有効的に変換して、ＭＰ３プレィヤーに記憶することを可能にする音楽データのダビング方法を提供するものである。
【００１１】
ＭＰ３プレィヤーは、標準データインタフェースと、コントローラーと、メモリとを含んでいる。その中で、標準データインタフェースは、ＭＰ３プレィヤーとコンピュータの間でデータを伝送するインタフェースである。そのインタフェースとしては、ユニバーサルシリアルバス（ＵＳＢ）インタフェースを採用することができる。コントローラーは、メモリの読み書き及び上記コンピュータとのデータ交換をコントロールするために用いられる。メモリは、データを記憶するために用いられ、起動データ区域を含んで、自動運行ファイルＡｕｔｏｒｕｎ．  ｉｎｉと自動運行ファイルＡｕｔｏｒｕｎ．  ｉｎｉに指定されて実行する音楽データのダビングプログラムを記憶するために用いられ、交換しようとする音楽データ等の他のデータを記憶するものであってもよい。なお、メモリは、一つ或いは複数の記憶データ区域を含んで、記憶データ区域で音楽ファイルを記憶し、自動運行ファイルＡｕｔｏｒｕｎ．  ｉｎｉに指定されて実行するプログラム等を記憶するものであっても良い。
【００１２】
自動的に音楽をダビングする前に、自動運行ファイルＡｕｔｏｒｕｎ  ｉｎｉを編集する必要がある。当該ファイルの中で、音楽データのダビングプログラムを自動的に実行するように設定する。その後、自動運行ファイルＡｕｔｏｒｕｎ．  ｉｎｉ及び音楽データのダビングプログラム等のデータを起動データ区域に記入する。
【００１３】
音楽データのダビングプログラムは、サーチモジュールと、ピックアップモジュールと、変換モジュール及び記憶モジュールを含んでいる。サーチモジュールは、音楽データをサーチし、ピックアップモジュールは、トラックデータをピックアップし、変換モジュールは、ピックアップされたトラックデータをＭＰ３フォームに変換し、記憶モジュールは、変換された後のＭＰ３フォームファイルを記憶する。
【００１４】
上記ＭＰ３プレィヤーを、標準データインタフェースを通じて、運行状態にあるコンピュータと接続させた後、コンピュータとＭＰ３プレィヤーが、上記標準データインタフェースに基づいて通信して、以下のステップを実行する。
ステップ１：上記コンピュータは、上記ＭＰ３プレィヤーに、装置タイプの質問情報を送信する。
ステップ２：上記ＭＰ３プレィヤーは、上記装置タイプの質問情報を受け取った後、上記コンピュータに装置タイプの情報を返送する。
ステップ３：上記コンピュータは、上記装置タイプの情報が、自動運行機能を有する装置であることを示す情報であるか否かを判定し、当該情報が自動運行機能を有する装置であることを示す情報である場合には、下記ステップ５を実行し、当該情報が自動運行機能を有しない装置であることを示す情報である場合には、下記ステップ４を実行する。
ステップ４：上記コンピュータは、ＭＰ３プレィヤーを、自動運行機能を有しない装置に設定して、動作を終了する。
ステップ５：上記コンピュータは、ＭＰ３プレィヤーの装置属性を、自動運行機能を有する装置に設定する。
ステップ６：上記コンピュータは、ＭＰ３プレィヤーの中で、自動運行ファイルが存在するか否かをサーチし、当該自動運行ファイルが存在する場合には、下記ステップ７を実行し、当該自動運行ファイルが存在しない場合には、動作を終了する。
ステップ７：上記コンピュータは、ファイルのスクリプトの自動運行を実行して、音楽データのダビングプログラムの運行を自動的に起動する。
ステップ8：上記音楽データのダビングプログラムのサーチモジュールは、上記コンピュータのＣＤ−ＲＯＭ中に音楽ＣＤが存在するか否をサーチし、ＣＤ−ＲＯＭ中に音楽ＣＤが存在する時には、下記ステップ9を実行し、ＣＤ−ＲＯＭ中に音楽ＣＤが存在しない場合には、動作を終了する。
ステップ9：上記音楽データのダビングプログラムのピックアップモジュールは、上記音楽ＣＤから楽曲のトラックデータをピックアップする。
ステップ１０：上記音楽データのダビングプログラムの変換モジュールは、ピックアップされたトラックデータをＭＰ３フォームの音楽ファイルに変換する。
ステップ１１：上記音楽データのダビングプログラムの記憶モジュールは、上記ＭＰ３フォームファイルをＭＰ３プレィヤーに記憶して、運転を終了する。
【００１５】
［実施例１］
図1に示したように、本実施例のプロセスには下記のステップを含んでいる。
ステップ１０１：ユーザーが、ＭＰ３プレィヤーをコンピュータに挿入した後、コンピュータは、ＭＰ３プレィヤーに、装置タイプの質問情報を送信する。
ステップ１０２：ＭＰ３プレィヤーは、装置タイプの質問情報を受け取った後、起動データ区域をＣＤ−ＲＯＭにマッピングして、装置がＣＤ−ＲＯＭである情報を、コンピュータに通知する。
ステップ１０３：コンピュータは、装置がＣＤ−ＲＯＭである情報を受け取った後、ＭＰ３プレィヤーの起動データ区域をマウントする。
ステップ１０４：コンピュータは、起動データ区域の中で、自動運行ファイルＡｕｔｏｒｕｎ．ｉｎｉが存在するか否かをサーチし、自動運行ファイルＡｕｔｏｒｕｎ.ｉｎｉが存在する場合には、下記ステップ１０５を実行し、自動運行ファイルＡｕｔｏｒｕｎ．ｉｎｉが存在しない場合には、動作を終了する。
ステップ１０５：コンピュータは、自動運行ファイルＡｕｔｏｒｕｎ．ｉｎｉ中のスクリプトに従って、ＭＰ３プレィヤーの記憶データ区域をマウントする。
ステップ１０６：コンピュータは、自動運行ファイルＡｕｔｏｒｕｎ．  ｉｎｉ中のスクリプトに従って、音楽データのダビングプログラムを読み込んで、当該プログラムを起動して運行する。
ステップ１０７：上記音楽データのダビングプログラムのサーチモジュールは、コンピュータのＣＤ−ＲＯＭ中に音楽ＣＤが存在するか否かをサーチし、ＣＤ−ＲＯＭ中に音楽ＣＤが存在する時には、下記ステップ１０８を実行し、ＣＤ−ＲＯＭ中に音楽ＣＤが存在しない場合には、動作を終了する。
ステップ１０８：音楽データのダビングプログラムのピックアップモジュールは、音楽ＣＤから楽曲のトラックデータをピックアップし、変換モジュールは、ピックアップされたトラックデータをＭＰ３フォームファイルに変換し、記憶モジュールは、ＭＰ３フォームファイルをＭＰ３プレィヤーに記憶する。
【００１６】
上述した実施例は、ＭＰ３プレィヤーをコンピュータのＵＳＢインタフェースに挿入した後、音楽データのダビングプログラムの運行を自動的に起動することを実現し、全てのダビング過程において、ユーザーの干渉を必要としない。
【００１７】
［実施例２］
図２に示したように、本実施例のプロセスは下記のステップを含んでいる。
ステップ２０１：ユーザーが、ＭＰ３プレィヤーをコンピュータに挿入した後、コンピュータは、ＭＰ３プレィヤーに、装置タイプの質問情報を送信する。
ステップ２０２：ＭＰ３プレィヤーは、装置タイプの質問情報を受け取った後、ＭＰ３プレィヤー中の音楽データのダビングプログラムの起動キーの状態を検出して、起動キーが停止状態にある場合には、下記ステップ２１０を実行し、起動状態にある場合には、下記ステップ２２０を実行する。
或る場合には、ユーザーが、ＭＰ３プレィヤーをコンピュータに挿入する時、音楽をダビングしようとすることではなく、ただファイルの伝送等の操作を行おうとする場合がある。従って、必要としない音楽がダビングされることを避けるために、ＭＰ３プレィヤーに一つの操作キーを設置して、自動運行機能を実行するか否かを制御し、当該キーは他の機能と組み合わせて使用することもでき、その場合には一つの操作キーで多機能を発揮させるように構成することもできる。当該キーが起動状態にある時こそ、音楽ダビングプログラムを自動的に実行するようにコンピュータをスタートさせる。
ステップ２１０：ＭＰ３プレィヤーは、コンピュータに情報を返送して、コンピュータに、当該装置がフラッシュメモリに基づいた記憶装置であることを通知する。
起動キーが停止状態にある時、ユーザーが音楽のダビングを希望しないことを表明するので、ＭＰ３プレィヤーをフラッシュメモリに基づいた記憶装置にマッピングする。
ステップ２１１：コンピュータのオペレーティングシステムは、記憶データ区域をマウントして、動作を終了する。
ステップ２２０：ＭＰ３プレィヤーは、起動データ区域をＣＤ−ＲＯＭとしてマッピングし、コンピュータに情報を返送して、当該設備がＣＤ−ＲＯＭであることを通知し、且つ起動データ区域をマウントする。
ステップ２２１：オペレーティングシステムは、起動データ区域の中で、自動運行ファイルＡｕｔｏｒｕｎ．  ｉｎｉが存在するか否かをサーチし、自動運行ファイルＡｕｔｏｒｕｎ．ｉｎｉが存在する場合には、下記ステップ２２２を実行し、自動運行ファイルＡｕｔｏｒｕｎ．ｉｎｉが存在しない場合には、動作を終了する。
ステップ２２２：オペレーティングシステムは、自動運行ファイルＡｕｔｏｒｕｎ．  ｉｎｉ中のスクリプトに従って、ＭＰ３プレィヤーの駆動プログラムと音楽データのダビングプログラムを書き込む。
ステップ２２３：オペレーティングシステムは、駆動プログラムを運行し、且つオペレーティングシステムのデフォルト駆動プログラムを、ＭＰ３プレィヤーの駆動プログラムに更新する。
ステップ２２４：オペレーティングシステムは、自動運行ファイルＡｕｔｏｒｕｎ．  ｉｎｉ中のスクリプトに従って、ＭＰ３プレィヤーの記憶データ区域をマウントする。
ステップ２２５：オペレーティングシステムは、自動運行ファイルＡｕｔｏｒｕｎ．  ｉｎｉ中のスクリプトに従って、音楽データのダビングプログラムを運行する。
ステップ２２６：音楽データのダビングプログラムのサーチモジュールは、コンピュータのＣＤ−ＲＯＭ中で、音楽ＣＤが存在するか否かをサーチして、音楽ＣＤが存在する場合には、下記ステップ２２７を実行し、音楽ＣＤが存在しない場合には、動作を終了する。
ステップ２２７：音楽データのダビングプログラムは、ダビングしようとする楽曲を選択するように、ユーザーに提示する。
音楽ＣＤの中には、複数の楽曲が記憶されているが、時には、ユーザーは、その中のいくつかの楽曲だけをＭＰ３プレィヤーにダビングしようとするので、トラックデータをピックアップする前に、先ず、ユーザーに、どの楽曲をダビングしたいかを質問する。その後、ユーザーの選択に従って、操作される。
ステップ２２８：音楽データのダビングプログラムのピックアップモジュールは、音楽ＣＤの中から、ユーザーの選択した楽曲のトラックデータをピックアップし、変換モジュールは、ピックアップされたトラックフォームファイルをＭＰ３フォームに変換し、記憶モジュールは、ＭＰ３フォームファイルをＭＰ３プレィヤーに記憶する。
楽曲毎に、トラックのピックアップ、フォームの変換、及び記憶の三つの操作は、順番に行われる。
複数の楽曲をダビングする時、ピックアップモジュール、変換モジュール及び記憶モジュールは別々に動作する。ピックアップモジュールは、一つ一つの楽曲のトラックデータをピックアップし、一つの楽曲のトラックデータをピックアップする毎に、当該データを変換モジュールに出力し、その後、ユーザーの選択した全ての楽曲を全部ピックアップするまでに、次の一つの楽曲のトラックデータをピックアップする。変換モジュールは、ピックアップされた楽曲のトラックデータをＭＰ３フォームファイルに変換し、一つの楽曲を変換する毎に、変換された後のＭＰ３フォームファイルを記憶モジュールに出力し、その後、全ての楽曲のトラックデータを全部変換するまでに、次の一つの楽曲のトラックデータを変換する。記憶モジュールは、一つ一つのＭＰ３フォームファイルをＭＰ３プレィヤーに順番に記憶する。
【００１８】
上述した実施例２では、ユーザーが音楽データのダビングプログラムの運行を自動的に起動することについての制御を実現することができるので、必要としない音楽のダビングを避けることができる。
【００１９】
［実施例３］
図３に示したように、本実施例のプロセスには下記のステップを含んでいる。
ステップ３０１：ユーザーが、ＭＰ３プレィヤーをコンピュータに挿入した後、コンピュータは、ＭＰ３プレィヤーに、装置タイプの質問情報を送信する。
ステップ３０２：ＭＰ３プレィヤーは、装置タイプの質問情報を受け取った後、制御データを読み取って、当該制御データが、音楽データのダビングプログラムを起動して自動的に運行することを表示するものであるか否かを判定して、当該制御データが自動的に運行することを表示するものである場合には、下記ステップ３２０を実行し、当該制御データが自動的に運行することを表示しないものである場合には、下記ステップ３１０を実行する。
ユーザーの必要としない音楽がダビングされることを避けるために、制御データを設定する方法を採用して実現することができ、ＭＰ３プレィヤーは、制御データに従って、自動運行機能を起動するか否かを判定し、当該制御データが「１」である場合、自動運行機能を起動し、「０」である場合、自動運行機能を停止する。自動運行機能を起動すると、起動データ区域を、ＣＤ−ＲＯＭにマッピングする必要がある。
ステップ３１０：ＭＰ３プレィヤーは、コンピュータに情報を返送して、コンピュータに、当該装置がフラッシュメモリに基づいた記憶装置であることを通知する。
ステップ３１１：コンピュータのオペレーティングシステムは、記憶データ区域をマウントする。
ステップ３２０：ＭＰ３プレィヤーは、起動データ区域を、ＣＤ−ＲＯＭにマッピングし、コンピュータに情報を返送して、コンピュータに、当該装置がＣＤ−ＲＯＭであることを通知する。
ステップ３２１：コンピュータのオペレーティングシステムは、起動データ区域をマウントする。
ステップ３２２：コンピュータのオペレーティングシステムは、起動データ区域の中で、自動運行ファイルＡｕｔｏｒｕｎ．  ｉｎｉが存在する否かをサーチし、自動運行ファイルＡｕｔｏｒｕｎ．ｉｎｉが存在する場合には、下記ステップ３２３を実行し、自動運行ファイルＡｕｔｏｒｕｎ．ｉｎｉが存在しない場合には、動作を終了する。
ステップ３２３：オペレーティングシステムは、自動運行ファイルＡｕｔｏｒｕｎ．  ｉｎｉ中のスクリプトに従って、ＭＰ３駆動プログラムを実行して、記憶データ区域をマウントする。
ステップ３２４：オペレーティングシステムは、自動運行ファイルＡｕｔｏｒｕｎ．  ｉｎｉ中のスクリプトに従って、記憶データ区域から、音楽データのダビングプログラムを読み込んで、当該プログラムの運行を起動する。
ステップ３２５：音楽データのダビングプログラムのサーチモジュールは、コンピュータのＣＤ−ＲＯＭで、音楽ＣＤが存在するか否かをサーチして、音楽ＣＤが存在する場合には、下記ステップ３２６を実行し、音楽ＣＤが存在しない場合には、動作を終了する。
ステップ３２６：音楽データのダビングプログラムのピックアップモジュールは、音楽ＣＤからトラックデータをピックアップし、変換モジュールは、ピックアップされた音楽データをＭＰ３フォームに変換し、記憶モジュールは、ＭＰ３フォームファイルをコンピュータ内部或はＭＰ３プレィヤーに記憶する。
【００２０】
ピックアップモジュール、変換モジュール及び記憶モジュールは、別々に動作する方法を採用する。情報をＭＰ３プレィヤーに記憶する速度が遅いので、変換されたファイルをＭＰ３プレィヤーに記憶する前に、先ず、それをコンピュータに記憶する。従って、記憶モジュールは、第一のサブ記憶モジュールと第二のサブ記憶モジュールを含む。ファイルを記憶する時、上記第一のサブ記憶モジュールは、コンピュータ内部で、音楽ＣＤのシリアル番号で命名されたフォルダを作成して、全てのＭＰ３フォームファイルを全部記憶するまでに、変換された後のＭＰ３フォームファイルを、当該フォルダ中に順番に記憶する。第一のサブ記憶モジュールが、第一のＭＰ３フォームファイルを当該フォルダに記憶した後、上記第二のサブ記憶モジュールは、当該フォルダ中に記憶されている全てのＭＰ３フォームファイルを全部コピーするまでに、当該フォルダ中に記憶されているＭＰ３フォームファイルを、ＭＰ３プレィヤーに順番にコピーし始める。
【００２１】
変換された後のＭＰ３フォームファイルを、コンピュータの中で音楽ＣＤのシリアル番号で命名されたフォルダに記憶した後、ユーザーが、また同じ音楽ＣＤに対してダビングしようとする場合、変換された後のＭＰ３フォームファイルをＭＰ３プレィヤーに直接に記憶すればよく、トラックのピックアップとフォームの変換を必要としない。従って、音楽データのダビングプログラムのサーチモジュールが、音楽ＣＤをサーチした後、コンピュータの中で、当該音楽ＣＤのシリアル番号で命名されたフォルダをサーチして、そのフォルダが存在する場合には、その中のＭＰ３フォームファイルを直接にコピーし、当該フォルダが存在しない場合には、トラックのピックアップ、フォームの変換、及びファイルの記憶の操作を行う。
【００２２】
［実施例４］
ＭＰ３フォームの音楽ファイルを記憶する時、ファイル名は、トラックを採用して番号をつけることができるので、光ディスクのシリアル番号で命名された対応するフォルダの中で、音楽トラックにより、一つ一つの音楽ファイルを識別することができる。なお、ファイル名は、シリアル番号とトラックを組み合わせる方式を採用することができるので、コンピュータに記憶されたそれぞれの変換された後の音楽ファイルは、唯一のファイル名を有する。コンピュータがインタネットと接続されると、インタネットのＣＤＤＢ（Ｉｎｔｅｒｎｅｔ  Ｃｏｍｐａｃｔ  Ｄｉｓｃ  Ｄａｔａｂａｓｅ）により、楽曲毎の曲名を獲得することができ、且つ曲名で当該ファイルを命名することができる。
【００２３】
一定の規則でファイルとフォルダに対して命名した後、ユーザーは、変換された後のファイルを簡単に見つけることができる。従って、同じ光ディスクをダビングする時、必要とするファイルを、ＭＰ３プレィヤーに直接にコピーして、データのピックアップとフォームの変換時間を省略することができる。
【００２４】
作図上、図面の紙面に制限があるため、本実施例のフローチャートは、二つの部分に分けて、別々に図４と図５に示し、それら図４及び図５中で、Ａは、二つの図面の接続部を示している。
【００２５】
図４と図５に示したように、本実施例のプロセスは下記のステップを含んでいる。
ステップ４０１：ユーザーがＭＰ３プレィヤーをコンピュータに挿入した後、コンピュータは、ＭＰ３プレィヤーに、装置タイプの質問情報を送信する。
ステップ４０２：ＭＰ３プレィヤーは、装置タイプの質問情報を受け取った後、音楽データのダビングプログラムの起動キーの状態を検出して、起動キーが停止状態にある場合には、下記ステップ４１０を実行し、起動キーが起動状態にある場合には、下記ステップ４２０を実行する。
ステップ４１０：ＭＰ３プレィヤーは、コンピュータに、情報を返送して、当該装置がフラッシュメモリに基づいた記憶装置であることを通知する。
ステップ４１１：コンピュータのオペレーティングシステムは、記憶データ区域をマウントする。
ステップ４２０：ＭＰ３プレィヤーは、起動データ区域を、ＣＤ−ＲＯＭにマッピングし、コンピュータに、情報を返送して、当該装置がＣＤ−ＲＯＭであることを通知する。
ステップ４２１：コンピュータのオペレーティングシステムは、起動データ区域をマウントし、起動データ区域の中で、自動運行ファイルＡｕｔｏｒｕｎ．  ｉｎｉをサーチし、自動運行ファイルＡｕｔｏｒｕｎ．ｉｎｉが存在する場合には、下記ステップ４２２を実行し、自動運行ファイルＡｕｔｏｒｕｎ．ｉｎｉが存在しない場合には、動作を終了する。
ステップ４２２：コンピュータは、自動運行ファイルＡｕｔｏｒｕｎ．  ｉｎｉ中のスクリプトに従って、ＭＰ３プレィヤーの駆動プログラム及び音楽データのダビングプログラムを読み込む。
ステップ４２３：コンピュータは、自動運行ファイルＡｕｔｏｒｕｎ．  ｉｎｉ中のスクリプトに従って、駆動プログラムを運行し、且つオペレーティングシステムのデフォルト駆動プログラムを、ＭＰ３プレィヤーの駆動プログラムに更新し、且つ記憶データ区域をマウントする。
ステップ４２４：コンピュータは、自動運行ファイルＡｕｔｏｒｕｎ．  ｉｎｉ中のスクリプトに従って、音楽データのダビングプログラムを起動する。
ステップ４２５：音楽データのダビングプログラムのサーチモジュールは、コンピュータのＣＤ−ＲＯＭの中で、音楽ＣＤが存在するか否かをサーチして、音楽ＣＤが存在する場合には、下記ステップ４２６を実行し、音楽ＣＤが存在しない場合には、動作を終了する。
ステップ４２６：音楽データのダビングプログラムのサーチモジュールは、ダビングしようとする楽曲を選択するように、ユーザーに提示する。
ステップ４２７：ユーザーが楽曲を選択すると、下記ステップ４２８を実行し、楽曲が選択されない場合には、動作を終了する。
ステップ４２８：音楽データのダビングプログラムの記憶モジュールの第二のサブ記憶モジュールは、ＭＰ３プレィヤーで、音楽ＣＤのシリアル番号で命名したフォルダを作成する。
ステップ４２９：音楽データのダビングプログラムのサーチモジュールは、コンピュータのハードディスクで、音楽ＣＤのシリアル番号で命名されたフォルダが存在するか否かをサーチして、当該フォルダが存在する場合には、下記ステップ４３０を実行し、当該フォルダが存在しない場合には、下記ステップ４４０を実行する。
ステップ４３０：音楽データのダビングプログラムのサーチモジュールは、コンピュータにおいて音楽ＣＤで命名されたフォルダの中で、ユーザーの選択した全ての音楽が存在するか否かを判定して、当該音楽が存在する場合には、下記ステップ４３１を実行し、当該音楽が存在しない場合には、下記ステップ４３２を実行する。
ステップ４３１：第二のサブ記憶モジュールは、コンピュータの当該フォルダに記憶されているユーザーの選択した楽曲のＭＰ３フォームファイルを、ＭＰ３プレィヤーの対応するフォルダにコピーして、動作を終了する。
記憶モジュールは、第一のサブ記憶モジュールと第二のサブ記憶モジュールを含み、第一のサブ記憶モジュールは、ファイルをコンピュータ内部に記憶し、第二のサブ記憶モジュールは、ファイルをＭＰ３プレィヤーにコピーする。
ステップ４３２：第二のサブ記憶モジュールは、コンピュータにおいて音楽ＣＤで命名されたフォルダ中のユーザーの選択した楽曲を、ＭＰ３プレィヤー中で音楽ＣＤで命名されたフォルダに、コピーする。
ステップ４３３：第二のサブ記憶モジュールが、ファイルをコピーすると同時に、ピックアップモジュールは、音楽ＣＤから、ユーザーが必要とするがコンピュータの当該フォルダには無い楽曲のトラックファイルをピックアップし、変換モジュールは、ピックアップされたトラックファイルをＭＰ３フォームファイルに変換し、第一のサブ記憶モジュールは、ＭＰ３フォームファイルを、コンピュータで音楽ＣＤで命名されたフォルダに記憶し、第二のサブ記憶モジュールは、コンピュータ中の元に存在しているＭＰ３フォームファイルをコピーした後、ユーザーの選択した全ての楽曲のＭＰ３フォームファイルを全部コピーするまでに、変換したばかりのＭＰ３フォームファイルを続いてコピーして、動作を終了する。
ステップ４４０：音楽データのダビングプログラムのピックアップモジュールは、音楽ＣＤの光ディスクからトラックデータをピックアップし、変換モジュールは、ピックアップされたトラックデータをＭＰ３フォームに変換し、第一のサブ記憶モジュールは、ＭＰ３フォームファイルを、コンピュータで音楽ＣＤで命名されたフォルダに記憶し、第二のサブ記憶モジュールは、当該フォルダ中のＭＰ３フォームファイルを、ＭＰ３プレィヤーで音楽ＣＤのシリアル番号で命名されたフォルダにコピーする。
【００２６】
ピックアップモジュール、変換モジュール及び記憶モジュールは、別々に動作する方法を採用する。変換した後のファイル及び当該ファイルを記憶するフォルダを、一定の規則で命名した後、変換したファイルを有効的に見つけることができ、ユーザーが必要とする全ての楽曲に対して、トラックのピックアップとフォームの変換を操作する必要がないので、時間を節約することができる。
【００２７】
実施例は、他の携帯型の記憶装置である例えばＵＳＢ記憶装置、携帯型のハードディスク及びＰＤＡ等に用いられ、変換するフォームは、ＭＰ３フォームのほかに、ＷＡＶフォーム、ＷＭＡフォーム及びＲＡフォーム等でもよい。
【００２８】
尚、上述した実施例は本発明を説明するために便宜的に採用したに過ぎないものであり、本発明を何等限定するものではない。好ましい実施例を参照して、本発明を詳しく説明したが、本発明の趣旨を逸脱しない範囲において上記実施例に対して修正或いは変更を加えることができ、それが本願の特許請求の範囲に含まれるものであることは、当業者は容易に理解できるであろう。
【図面の簡単な説明】
【００２９】
【図１】本発明の実施例１に係る音楽ＣＤ中の楽曲をＭＰ３プレィヤーにダビングする方法のフローチャートである。
【図２】本発明の実施例２に係る音楽ＣＤ中の楽曲をＭＰ３プレィヤーにダビングする方法のフローチャートである。
【図３】本発明の実施例３に係る音楽ＣＤ中の楽曲をＭＰ３プレィヤーにダビングする方法のフローチャートである。
【図４】本発明の実施例４に係る音楽ＣＤ中の楽曲をＭＰ３プレィヤーにダビングする方法のフローチャート１である。
【図５】本発明の実施例４に係る音楽ＣＤ中の楽曲をＭＰ３プレィヤーにダビングする方法のフローチャート２である。
【図１】
2007102995.tif 000003
【図２】
2007102995.tif 000004
【図３】
2007102995.tif 000005
【図４】
2007102995.tif 000006
【図５】
2007102995.tif 000007